(57)【要約】【課題】挿入済みの紙葉類を損傷することなく、別の紙葉類の追加挿入を防止する。【解決手段】投票券処理装置に搭載される紙葉類挿入機構１０に、投票券Ｔを複数枚一括して挿入可能な挿入口１と、挿入口１から投票券Ｔが挿入されたときに閉じて、挿入された挿入済みの投票券Ｔとは別の紙葉類Ｔａが挿入口１から挿入されるのを規制するシャッタ１１と、シャッタ１１の投票券Ｔと対向する側に設けられたコイルばね１２とを備える。コイルばね１２は、シャッタ１１が閉じたときに圧縮された状態になって挿入済みの投票券Ｔを押さえ付ける。これにより、別の投票券Ｔａが挿入口１から挿入されても、その別の投票券Ｔａがコイルばね１２に当接した後、コイルばね１２のコイルの隙間１２ａに入って係止されるので、別の投票券Ｔａがシャッタ１１の下をくぐって内部に入り込まなくなる。【選択図】    図３
2004352432.tif 000002
【特許請求の範囲】
【請求項１】
紙葉類を複数枚一括して挿入可能な挿入口と、
前記挿入口から紙葉類が挿入されたときに閉じて、挿入された挿入済みの紙葉類とは別の紙葉類が前記挿入口から挿入されるのを規制するシャッタと、
前記シャッタの紙葉類と対向する側に設けられ、当該シャッタが閉じることにより圧縮された状態になって前記挿入済みの紙葉類を押さえ付けるコイルばねと、を備えたことを特徴とする紙葉類挿入機構。
【請求項２】
請求項１に記載の紙葉類挿入機構において、
前記コイルばねの紙葉類挿入方向に向かって奥側に、当該コイルばねの変形を抑えるストッパを設けたことを特徴とする紙葉類挿入機構。
【請求項３】
請求項１または請求項２に記載の紙葉類挿入機構において、
前記コイルばねの紙葉類挿入方向に向かって手前側に、当該コイルばねを覆って保護する保護部材を設けたことを特徴とする紙葉類挿入機構。
【請求項４】
紙葉類を複数枚一括して挿入可能な挿入口と、
前記挿入口から紙葉類が挿入されたときに閉じて、挿入された挿入済みの紙葉類とは別の紙葉類が前記挿入口から挿入されるのを規制するシャッタと、
前記シャッタの紙葉類と対向する側に設けられ、当該シャッタが閉じることにより前記挿入済みの紙葉類を押さえ付ける押さえ部材と、を備え、
前記押さえ部材の紙葉類との接触部付近に、前記別の紙葉類を前記接触部から離れる方向へ導くための傾斜部を形成したことを特徴とする紙葉類挿入機構。
【請求項５】
請求項４に記載の紙葉類挿入機構において、
前記押さえ部材を、ばねを介して前記シャッタの紙葉類と対向する側に設けたことを特徴とする紙葉類挿入機構。
【請求項６】
紙葉類を複数枚一括して受け付けて読み取り処理を行う紙葉類読取装置において、
請求項１ないし請求項５のいずれかに記載の紙葉類挿入機構を搭載し、
当該挿入機構に備わる挿入口から紙葉類が挿入されると、前記シャッタを閉じて挿入された紙葉類を受け付け、受け付けた紙葉類を前記挿入口から一枚ずつ繰り出して読み取り処理を行い、読み取り処理を完了すると、前記シャッタを開いて前記挿入口から紙葉類が挿入されるのを待つことを特徴とする紙葉類読取装置。
【発明の詳細な説明】
【０００１】
【発明の属する技術分野】
本発明は、紙葉類を複数枚一括して挿入可能な紙葉類挿入機構とこれを搭載した紙葉類読取装置に関するものである。
【０００２】
【従来の技術】
紙葉類を複数枚一括して受け付けて読み取り処理を行う紙葉類読取装置の一例として、競輪場や競馬場等に設置される投票券処理装置がある。図７は、投票券処理装置を示す外観図である。図７において、１００は投票券処理装置であって、紙葉類としての投票券Ｔまたは申込みカードＣを複数枚一括して受け付けて読み取り処理を行う。１は投票券挿入口、２は申込みカード挿入口、１ａおよび２ａは各挿入口１、２の手前に設けられた挿入ガイドである。２つの挿入口１、２には、投票券Ｔまたは申込みカードＣを複数枚一括して挿入することが可能である。３は内部に備える発券部（図示せず）により発券処理された投票券を放出する投票券放出口、３ａは投票券放出口３の手前に設けられた放出ガイドである。４は硬貨投入口、５は硬貨放出口、６は紙幣投入放出口である。７はタッチパネルから構成された接客操作部であって、金額や投票券Ｔまたは申込みカードＣに関する情報を表示するとともに、利用者が投票券処理装置１００に指示を与えるために操作するキー等を表示する。
【０００３】
投票券処理装置１００で投票券Ｔを購入する場合、例えば利用者が必要事項を記入した申込みカードＣを複数枚一括して申込みカード挿入口２に挿入すると、装置１００は挿入された複数枚のカードＣを内部に備える読み取り部（図示せず）に一枚ずつ繰り出して、カードＣに対して読み取り処理を順次行い、投票券Ｔの購入に必要な金額を計算して接客操作部７に表示する。そして、利用者が接客操作部７を見て、必要な金額に相当する現金を硬貨投入口４および紙幣投入放出口６に投入すると、装置１００が複数枚の投票券Ｔを投票券放出口３から放出する。また、投票券処理装置１００で的中した投票券Ｔの払い戻しを受ける場合、例えば利用者が的中した投票券Ｔを複数枚一括して投票券挿入口１に挿入すると、装置１００が挿入された複数枚の投票券Ｔを内部の読み取り部に一枚ずつ繰り出して、投票券Ｔに対して読み取り処理を順次行い、払い戻す金額を計算して接客操作部７に表示する。そして、利用者が接客操作部７を見て、払い戻しを指示するための確認キーにタッチすると、装置１００が現金を硬貨放出口５および紙幣投入放出口６に放出して払い戻す。
【０００４】
上述したように投票券処理装置１００は、挿入口１に一括して挿入された複数枚の投票券Ｔを内部の読み取り部に一枚ずつ繰り出すことで、複数枚の投票券Ｔの読み取り処理を順次行うが、その繰り出し中に、別の投票券Ｔが挿入口１から追加挿入されると、繰り出し中の投票券Ｔに追加挿入された投票券Ｔが釣り込まれて、投票券Ｔ同士が繰り出し経路で詰まり、装置１００が異常を検知して停止するという不具合が発生してしまう。そこで、投票券処理装置１００では、挿入口１からの投票券Ｔの挿入を規制するためのシャッタ（詳細は後述）を設け、このシャッタを読み取り処理に連動して以下のように開閉動作させていた。
【０００５】
図８は、投票券処理装置１００の動作を示すフローチャートである。なお、各処理は、投票券処理装置１００の内部に備わるＣＰＵによって実行される。図８において、投票券処理装置１００に備わる読み取り部を始めとする各部が投票券Ｔを受け付け可能な状態になると、シャッタ開閉用のソレノイドをＯＮ状態にすることで挿入口１のシャッタを開き、投票券Ｔが挿入口１に挿入されるのを待つ（ステップＳ１）。そして、投票券Ｔが挿入口１に挿入されたことを挿入口１の近傍に設けたフォトセンサ等で検知すると（ステップＳ２）、ソレノイドをＯＦＦ状態にすることでシャッタを閉じる（ステップＳ３）。このとき、挿入口１に挿入された投票券Ｔは、投票券処理装置１００に読み取り処理の対象券として受け付けられる。そして、挿入口１から投票券Ｔを一枚だけ読み取り部に搬送し、読み取り処理を実行する（ステップＳ４）。繰り出した投票券Ｔに対する読み取り処理を終えた後、挿入口１に投票券Ｔがまだあれば（ステップＳ５：ＹＥＳ）、ステップＳ４へ移行して、再び挿入口１から投票券Ｔを一枚だけ読み取り部に搬送し、読み取り処理を実行する。そして、上記のようにステップＳ４とステップＳ５を繰り返し実行した後、挿入口１に投票券Ｔがなくなれば（ステップＳ５：ＮＯ）、受け付けた投票券Ｔに対する読み取り処理を完了する（ステップＳ６）。この後は、ステップＳ１へ移行し、シャッタを開いて投票券Ｔが挿入口１に挿入されるのを待つ。このような手順により、投票券処理装置１００は、一旦投票券Ｔを受け付けてからその受け付けた投票券Ｔの読み取り処理が完了するまでの間シャッタを閉じることで、別の投票券Ｔの追加挿入を防止している。（なお、申込みカードＣを挿入口２から繰り出す際に、別の申込みカードＣが挿入口２から追加挿入された場合も、上述した投票券Ｔの場合と同様に不具合が発生してしまうので、投票券処理装置１００では、挿入口２にもシャッタを設け、このシャッタを上記と同様の手順で閉じることで、別の申込みカードＣの追加挿入を防止している。）
【０００６】
ところで、上述したシャッタは、従来、図９に示すシャッタ５１のように板金を曲げ加工して形成されていた。図９は、投票券処理装置１００に搭載された従来の紙葉類挿入機構５０を示す図である。図９（ａ）において、挿入機構５０に備わるシャッタ５１は、装置１００の各部が投票券Ｔを受け付け可能な状態になる前は、図示しないソレノイドがＯＦＦ状態であるため、実線で示すように閉じている。そして、装置１００の各部が投票券Ｔを受け付け可能な状態になると、シャッタ５１は、ソレノイドがＯＮ状態になることで２点鎖線で示すように持ち上げられて開く。この後、投票券Ｔが挿入口１から挿入されると、フォトセンサ５３がこれを検知し、シャッタ５１は、ソレノイドがＯＦＦ状態になることで自重によって下降し、図９（ｂ）に示すように閉じて、投票券Ｔと対向する側の端部５１ａで挿入された投票券Ｔを押さえ付ける。従来は、このようにシャッタ５１の端部５１ａで挿入済みの投票券Ｔを押さえ付けることで、挿入口１からの投票券Ｔの追加挿入を防止していた。
【０００７】
しかし、上記従来のようにした場合、図１０（ａ）に示すように挿入口１から別の投票券Ｔａが挿入されると、その別の投票券Ｔａが、２点鎖線で示すようにシャッタ５１に当接した後シャッタ５１に沿って端部５１ａ側に移動して行き、端部５１ａと挿入済みの投票券Ｔとの接触部分Ｓに行き着く。このため、別の投票券Ｔａが強く押されると、図１０（ｂ）に示すように別の投票券Ｔａがシャッタ５１の下をくぐって内部に入り込んでしまい、別の投票券Ｔａが追加挿入された状態となる。この結果、前述したように、別の投票券Ｔａと挿入済みの投票券Ｔとが繰り出し経路５２（図９に図示）で詰まり、装置１００が停止するという不具合が発生してしまう。そこで、上記のような別の投票券Ｔａの入り込みを阻止するために、ソレノイド等によってシャッタ５１を挿入済みの投票券Ｔに強い力で押し付けることも考えられるが、そのようすると、シャッタ５１の端部５１ａで投票券Ｔの表面を傷つけたり、投票券Ｔが折れている場合には、繰り出しの際に、投票券Ｔの折れ目が端部５１ａに引っ掛かって投票券Ｔが破れる等の２次的な不具合が発生してしまう。
【０００８】
一方、下記の特許文献１には、挿入されたカードを内部に取り込んで読み取り処理を行うカードリーダにおいて、シャッタの端部に折曲させたかえり部を形成し、そのかえり部をカード走行路の凹溝内に陥入させることで、カードがシャッタの下にもぐり込むのを防止するシャッタ機構が開示されている。しかし、このシャッタ機構は、カードを一枚だけ受け付けるカードリーダでは有効であるが、投票券Ｔを複数枚受け付ける投票券読取装置１００では、投票券Ｔを一枚ずつ繰り出す間挿入済みの投票券Ｔをシャッタで押さえ付けなければならないので、適用することは困難であり、別の投票券Ｔａの追加挿入を防止することができない。
【０００９】
【特許文献１】
特許第３２１２４６１号公報
【００１０】
【発明が解決しようとする課題】
本発明は、上記のような問題点を解決するものであって、その課題とするところは、挿入済みの紙葉類を損傷することなく、別の紙葉類の追加挿入を防止することができる紙葉類挿入機構およびそれを搭載した紙葉類読取装置を提供することにある。
【００１１】
【課題を解決するための手段】
本発明に係る紙葉類挿入機構においては、紙葉類を複数枚一括して挿入可能な挿入口と、挿入口から紙葉類が挿入されたときに閉じて、挿入された挿入済みの紙葉類とは別の紙葉類が挿入口から挿入されるのを規制するシャッタと、シャッタの紙葉類と対向する側に設けられ、当該シャッタが閉じることにより圧縮された状態になって挿入済みの紙葉類を押さえ付けるコイルばねとを備えている。このようにすると、挿入済みの紙葉類をコイルばねで押さえ付けた後に、別の紙葉類が挿入口から挿入されても、その別の紙葉類はコイルばねに当接した後コイルばねのコイルの隙間に入って係止される。このため、別の紙葉類がシャッタの下をくぐって内部に入り込まなくなり、別の紙葉類の追加挿入を確実に防止することができ、また、シャッタを挿入済みの紙葉類に過度の強い力で押し付ける必要がなくなり、挿入済みの紙葉類を損傷することもない。
【００１２】
また、本発明においては、コイルばねの紙葉類挿入方向に向かって奥側に、当該コイルばねの変形を抑えるストッパを設けるようにしてもよい。別の紙葉類が挿入口から挿入されて強い力で押された場合、コイルばねが紙葉類挿入方向へたわんで変形し、別の紙葉類がその変形したコイルばねの下をくぐって内部に入り込むおそれがあるが、上記のようにストッパを設けると、コイルばねがたわんで変形するのをストッパによって防ぐことができ、別の紙葉類がコイルばねの下をくぐって内部に入り込まなくなる。
【００１３】
また、本発明においては、コイルばねの紙葉類挿入方向に向かって手前側に、当該コイルばねを覆って保護する保護部材を設けるようにしてもよい。このようにすると、いたずらで挿入口から剛体が挿し込まれて、コイルばねが無理やり変形させられるのを防止することができる。
【００１４】
また、本発明の他の実施形態に係る紙葉類挿入機構においては、紙葉類を複数枚一括して挿入可能な挿入口と、挿入口から紙葉類が挿入されたときに閉じて、挿入された挿入済みの紙葉類とは別の紙葉類が挿入口から挿入されるのを規制するシャッタと、シャッタの紙葉類と対向する側に設けられ、当該シャッタが閉じることにより挿入済みの紙葉類を押さえ付ける押さえ部材とを備えていて、押さえ部材の紙葉類との接触部付近に、別の紙葉類を接触部から離れる方向へ導くための傾斜部が形成されている。このようにすると、挿入済みの紙葉類を押さえ部材で押さえ付けた後に、別の紙葉類が挿入口から挿入されても、その別の紙葉類が押さえ部材の傾斜部に当接した後、傾斜部に沿って押さえ部材の接触部から離れるように移動して行く。このため、別の紙葉類がシャッタの下をくぐって内部入り込まなくなり、別の紙葉類の追加挿入を確実に防止することができ、また、シャッタを挿入済みの紙葉類に過度の強い力で押し付ける必要がなくなり、挿入済みの紙葉類を損傷することもない。
【００１５】
また、他の実施形態においては、上記の押さえ部材を、ばねを介してシャッタの紙葉類と対向する側に設けるようにしてもよい。このようにすると、挿入済みの紙葉類に対する押さえ部材の姿勢を常に一定に維持することができ、挿入口から挿入された別の紙葉類が確実に傾斜部に沿って接触部から離れるように移動して行くようになる。
【００１６】
さらに、本発明では、紙葉類を複数枚一括して受け付けて読み取り処理を行う紙葉類読取装置において、上述した紙葉類挿入機構を搭載し、当該挿入機構に備わる挿入口から紙葉類が挿入されると、シャッタを閉じて挿入された紙葉類を受け付け、受け付けた紙葉類を挿入口から一枚ずつ繰り出して読み取り処理を行い、読み取り処理を完了すると、シャッタを開いて挿入口から紙葉類が挿入されるのを待つ。このようにすると、受け付けた挿入済みの紙葉類の繰り出し中に、その紙葉類を損傷することなく別の紙葉類の追加挿入を防止することができ、挿入済みの紙葉類と別の紙葉類とが繰り出し経路で詰まって、装置が停止するという不具合が発生しなくなる。
【００１７】
【発明の実施の形態】
以下、本発明の実施の形態につき図を参照しながら説明する。なお、本発明に係る紙葉類読取装置の一例である投票券処理装置の外観は、図７において説明した投票券処理装置１００と同一であるため、以下では図７を本発明の実施形態として引用し、各部の符号は図７を参照する。また、投票券処理装置の動作手順は、図８において説明した手順と同様であるため、以下では図８も本発明の実施形態として引用する。
【００１８】
図１〜図５は、本発明の実施形態に係る紙葉類挿入機構を示す図である。同機構は投票券処理装置１００（図７）に搭載されている。なお、図１は紙葉類挿入機構の正面図、図２は図１におけるＡ−Ａ断面図である。図３〜図５は紙葉類挿入機構に備わるシャッタの要部拡大図である。図１において、１０は本発明の実施形態に係る紙葉類挿入機構、１は紙葉類としての投票券Ｔ（例えば図２に図示）が挿入される投票券挿入口であって、この投票券挿入口１は本発明における挿入口の一実施形態を構成するものである。１ａは挿入口１の手前に設けられた挿入ガイドである。１１は後端側がシャフト３０に回動可能に支持され、図示しないソレノイドによって開閉するシャッタであって、閉じた状態のときに挿入口１からの投票券Ｔの挿入を規制する。このシャッタ１１の先端側、すなわち投票券Ｔと対向する側には３つの爪部１１ａ、１１ｂ、１１ｃが形成されていて、そのうち中央の爪部１１ｂの周りに、図２（ａ）に示すようにコイルばね１２が設けられている。１３はコイルばね１２の変形を抑えるストッパであって、コイルばね１２の投票券挿入方向Ｆに向かって奥側に当該コイルばね１２に近接させて設けられている。１４はコイルばね１２を覆って保護する保護部材であって、コイルばね１２の投票券挿入方向Ｆに向かって手前側に当該コイルばね１２に近接させて設けられている。シャッタ１１とストッパ１３と保護部材１４とは、それぞれ板金を曲げ加工して形成されている。コイルばね１２とストッパ１３と保護部材１４とは、それぞれねじ１５によってシャッタ１１に取り付けられている。
【００１９】
１６は図示しないソレノイドによって上下に移動する挟み込み部材であって、挿入口１から挿入された投票券Ｔをピックアップローラ１７との間に挟み込む。ピックアップローラ１７は回転することで、挟み込み部材１６との間に挟み込まれた投票券Ｔを一対の繰り出しローラ１８に搬送する。一対の繰り出しローラ１８は回転することで、ピックアップローラ１７から搬送されて来た投票券Ｔを一枚ずつ分離して図示しない読み取り部に搬送する。（なお、読み取り部は、投票券Ｔに表示されている情報を光学的に読み取る。）すなわち、これらのローラ１７、１８の回転によって挿入口１から挿入された投票券Ｔが一枚ずつ読み取り部に繰り出される。１９は投票券Ｔを読み取り部に搬送するための搬送ガイドであって、投票券Ｔの繰り出し経路Ｋを形成している。９はシャッタ１１を係止する係止部材である。３１は投票券Ｔが挿入口１から挿入されたことを検知するフォトセンサである。
【００２０】
上記のような構造において、投票券処理装置１００の読み取り部を始めとする各部が投票券Ｔを受け付け可能な状態になる前は、シャッタ１１は、シャッタ開閉用のソレノイドがＯＦＦ状態であるため、図２（ａ）に実線で示すように閉じていて、係止部材９に係止されている。このとき、挟み込み部材１６は、実線で示すように上方に移動している。そして、装置１００の各部が投票券Ｔを受け付け可能な状態になると、シャッタ１１は、ソレノイドがＯＮ状態になることで２点鎖線で示すように持ち上げられて開く。このとき、挟み込み部材１６は、２点鎖線で示すように下方に移動する。その後、挿入口１から投票券Ｔが複数枚一括して挿入されたことをフォトセンサ３１によって検知すると、挟み込み部材１６が、図２（ｂ）に示すように上方に移動して投票券Ｔをピックアップローラ１７との間に挟み込む。このとき、シャッタ１１は、ソレノイドがＯＦＦ状態になることでシャフト３０を中心として回動し自重によって下降して、図２（ｂ）に示すように閉じ、シャッタ１１の投票券Ｔと対向する側に設けたコイルばね１２が、圧縮された状態になって挿入済みの投票券Ｔを押さえ付ける。そして、ピックアップローラ１７と繰り出しローラ１８が回転すると、挿入済みの投票券Ｔが挿入口１から一枚ずつ繰り出されて読み取り部に送られ、読み取り処理が行われる。
【００２１】
上記のようにシャッタ１１が閉じて、コイルばね１２が挿入済みの投票券Ｔを押さえ付けた後に、図３（ａ）に示すように挿入口１から別の投票券Ｔａが挿入されると、その別の投票券Ｔａは、圧接状態にあるコイルばね１２と投票券Ｔとの間から入り込むことはできず、２点鎖線で示すようにコイルばね１２に当接した後、図３（ｂ）に示すようにコイルばね１２のコイルの隙間１２ａに入って係止される。このため、別の投票券Ｔａがシャッタ１１の下をくぐって投票券処理装置１００の内部に入り込まなくなり、別の投票券Ｔａの追加挿入を確実に防止することができ、また、シャッタ１１を挿入済みの投票券Ｔに過度の強い力で押し付ける必要がなくなり、挿入済みの投票券Ｔを損傷することもない。また、図９、図１０に示した従来例のように、シャッタ５１自体で挿入済みの投票券Ｔを押さえ付ける場合、シャッタ５１の端部５１ａと投票券Ｔとが線接触するので、投票券Ｔを損傷しないように端部５１ａにヤスリで磨く等の仕上げ加工を施さなければならず、加工にコストがかかっていた。然るに、上記のようにシャッタ１１にコイルばね１２を設けたことで、シャッタ１１に仕上げ加工を施す必要がなくなり、コストを低く抑えることができ、また、コイルばね１２は素線の断面形状が円であるので、挿入済みの投票券Ｔを押さえ付けても、従来のシャッタ５１自体で投票券Ｔを押さえ付ける場合に比べて投票券Ｔを損傷する恐れが少ない。さらに、前記の特許文献１のようにシャッタ自体にかえり部を形成する場合、シャッタの中央ではなく端部に折り曲げ加工を施すことは非常に困難でコストがかかってしまうが、上記のようにシャッタ１１にコイルばね１２を設けたことで、シャッタ１１の端部に折り曲げ加工を施す必要がなく、しかもコイルばね１２は汎用部品であるので、コストを低く抑えることができる。
【００２２】
また、別の投票券Ｔａが挿入口１から挿入されて強い力で押された場合、図４に示すようにコイルばね１２が挿入方向Ｆへたわんで変形し、別の投票券Ｔａがその変形したコイルばね１２の下をくぐって内部に入り込むおそれがある。然るに、前述したようにコイルばね１２の奥側にストッパ１３を設けたことで、別の投票券Ｔａが強い力で押された場合に、コイルばね１２がたわんで変形するのを、図５に示すようにストッパ１３によって防ぐことができ、別の投票券Ｔａがコイルばね１２の下をくぐって内部に入り込まなくなる。
【００２３】
また、コイルばね１２の手前側に保護部材１４を設けたことで、いたずらで挿入口１から剛体が挿し込まれて、コイルばね１２が無理やり変形させられるのを防止することができる。さらに以上の結果、投票券処理装置１００において受け付けた挿入済みの投票券Ｔの繰り出し中に、その投票券Ｔを損傷することなく別の投票券Ｔａの追加挿入を防止することができ、挿入済みの投票券Ｔと別の投票券Ｔａとが繰り出し経路Ｋで詰まって、投票券処理装置１００が停止するという不具合が発生しなくなる。
【００２４】
図６は、本発明の他の実施形態に係る紙葉類挿入機構を示す図であって、同機構に備わるシャッタの要部を拡大して示している。図６（ａ）において、２０は他の実施形態に係る紙葉類挿入機構である。この挿入機構２０は、図２に示した挿入機構１０と同様に投票券処理装置１００に搭載されている。２１は図示しないソレノイドによって開閉するシャッタであって、閉じた状態のときに挿入口１からの投票券Ｔの挿入を規制する。本図では、シャッタ２１の投票券Ｔと対向する側の一部しか示していないが、このシャッタ２１は、前述のシャッタ１１（図２）と略同様の構造をしている。なお、シャッタ２１とシャッタ１１との違いは、シャッタ２１に爪部１１ｂが形成されていないことだけである。
【００２５】
２２は押さえ部材であって、コイルばね２３を介してシャッタ２１の投票券Ｔと対向する側に設けられている。なお、コイルばね２３は、前述のねじ１５（図２）によってシャッタ２１に取り付けられている。また、このコイルばね２３に代えて、板ばね等を用いて押さえ部材２２をシャッタ２１の投票券Ｔと対向する側に設けてもよい。押さえ部材２２は、投票券Ｔと接触する接触部２２ａが平坦に形成されていて、挿入口１から投票券Ｔが挿入されてシャッタ２１が閉じると、図示するように接触部２２ａで挿入済みの投票券Ｔを押さえ付ける。また、押さえ部材２２の接触部２２ａ付近には、別の投票券Ｔａを接触部２２ａから離れる方向へ導くための傾斜部２２ｂが形成されている。この傾斜部２２ｂは、接触部２２ａから連続して曲線的に傾斜するように押さえ部材２２の周面に形成されている。また、押さえ部材２２の挿入方向Ｆに向かって奥側には、前述のストッパ１３が設けられ、挿入方向Ｆに向かって手前側には、前述の保護部材１４が設けられている。
【００２６】
上記のように押さえ部材２２が挿入済みの投票券Ｔを押さえ付けた後に、挿入口１から別の投票券Ｔａが挿入されると、その別の投票券Ｔａが押さえ部材２２の傾斜部２２ｂに当接した後、傾斜部２２ｂに沿って接触部２２ａから離れるように移動して行く。言い換えれば、別の投票券Ｔａが傾斜部２２ｂですくい上げられる。このため、別の投票券Ｔａがシャッタ２１の下をくぐって内部に入り込まなくなり、別の投票券Ｔａの追加挿入を確実に防止することができ、また、シャッタ２１を挿入済みの投票券Ｔに過度の強い力で押し付ける必要がなくなり、挿入済みの投票券Ｔを損傷することもない。また、上記のようにシャッタ２１に押さえ部材２２を設けたことで、シャッタ１１に前述したような仕上げ加工を施す必要がなくなり、コストを低く抑えることができ、しかも押さえ部材２２の接触部２２ａが平坦に形成されていて挿入済みの投票券Ｔと面接触するので、図９、図１０に示したシャッタ５１自体で投票券Ｔを押さえ付ける場合に比べて投票券Ｔを損傷する恐れが少ない。さらに、上記のようにシャッタ２１に押さえ部材２２を設けたことで、前記の特許文献１のようにシャッタ２１の端部に折り曲げ加工を施す必要がなくなり、コストを低く抑えることができる。なお、押さえ部材２２の傾斜部２２ｂは、押さえ部材２２の材質が合成樹脂であれば射出成形によって形成することができ、押さえ部材２２の材質が金属であれば切削加工や研磨加工等によって形成することができるので、いずれにせよ、シャッタ２１を折り曲げ加工するよりも形成がはるかに容易となる。
【００２７】
また、押さえ部材２２をコイルばね２３を介してシャッタ２１の投票券Ｔと対向する側に設けたことで、挿入済みの投票券Ｔに対する押さえ部材２２の姿勢を常に一定に維持することができ、挿入口１から挿入された別の投票券Ｔａが確実に傾斜部２２ｂに沿って接触部２２ａから離れるように移動して行く。
【００２８】
なお、上記のような押さえ部材２２に代えて、図６（ｂ）に示すように、挿入済みの投票券Ｔと接触する接触部２４ａから離れる方向へ別の投票券Ｔａを導くための直線的に傾斜した傾斜部２４ｂが、接触部２４ａ付近の周面に複数形成された押さえ部材２４を用いてもよい。この場合、挿入口１から別の投票券Ｔａが挿入されると、その別の投票券Ｔａが押さえ部材２４の傾斜部２４ｂに当接した後、傾斜部２４ｂに沿って接触部２４ａから離れるように移動して行き押さえ部材２４に係止する。このため、別の投票券Ｔａがシャッタ２１の下をくぐって内部に入り込まなくなり、別の投票券Ｔａの追加挿入を確実に防止することができ、また、シャッタ２１を挿入済みの投票券Ｔに過度の強い力で押し付ける必要がなくなり、挿入済みの投票券Ｔを損傷することもない。
【００２９】
以上述べた実施形態では、図１〜図５に示した紙葉類挿入機構１０および図６に示した紙葉類挿入機構２０を、投票券Ｔが挿入される投票券挿入口１に適用した例を挙げているが、本発明に係る紙葉類挿入機構は、申込みカードＣが挿入される申込みカード挿入口２にも適用することができる。なおこの場合、申込みカード挿入口２は、本発明における挿入口の一実施形態を構成するものである。
【００３０】
また、上記実施形態では、本発明に係る紙葉類読取装置として投票券処理装置１００を例に挙げているが、本発明はこれのみに限定するものではない。これ以外に、例えば、紙幣を複数枚一括して受け付けて乗車券や定期券を販売する駅設置の券販売機のようなものであってもよい。つまり、本発明に係る紙葉類読取装置としては、紙葉類を複数枚一括して受け付けて読み取り処理を行う装置であればよい。
【００３１】
【発明の効果】
本発明によれば、シャッタにコイルばねまたは傾斜部を有する押さえ部材を設けたことにより、別の紙葉類の追加挿入を確実に防止することができ、また、シャッタを挿入済みの紙葉類に強い力で押し付ける必要がないため、挿入済みの紙葉類を損傷することもない。
【図面の簡単な説明】
【図１】本発明の実施形態に係る紙葉類挿入機構を示す図である。
【図２】本発明の実施形態に係る紙葉類挿入機構を示す図である。
【図３】本発明の実施形態に係る紙葉類挿入機構の要部拡大図である。
【図４】本発明の実施形態に係る紙葉類挿入機構の要部拡大図である。
【図５】本発明の実施形態に係る紙葉類挿入機構の要部拡大図である。
【図６】本発明の他の実施形態に係る紙葉類挿入機構の要部拡大図である。
【図７】投票券処理装置を示す外観図である。
【図８】投票券処理装置の動作を示すフローチャートである。
【図９】従来の紙葉類挿入機構を示す図である。
【図１０】従来の紙葉類挿入機構の要部拡大図である。
【符号の説明】
１      挿入口
１０    紙葉類挿入機構
１１    シャッタ
１２    コイルばね
１３    ストッパ
１４    保護部材
２０    紙葉類挿入機構
２１    シャッタ
２２    押さえ部材
２２ａ  接触部
２２ｂ  傾斜部
２３    コイルばね
２４    押さえ部材
２４ａ  接触部
２４ｂ  傾斜部
１００  投票券処理装置
Ｆ      投票券挿入方向
Ｔ、Ｔａ  投票券
【図１】
2004352432.tif 000003
【図２】
2004352432.tif 000004
【図３】
2004352432.tif 000005
【図４】
2004352432.tif 000006
【図５】
2004352432.tif 000007
【図６】
2004352432.tif 000008
【図７】
2004352432.tif 000009
【図８】
2004352432.tif 000010
【図９】
2004352432.tif 000011
【図１０】
2004352432.tif 000012